(57)【要約】  物理的構造、その物理的構造を用いて記録媒体にデータを記録し記録媒体から再生するための装置およびその方法が、開示される。これにより、ＢＤ等のような記録媒体に対して適当な物理的構造が提供される。本発明は複数の記録層を含む。記録層の各々は、物理的に同じ位置に設けられていないパワーテスト領域と物理的に同じ位置に設けられていない管理領域とを含み、前記パワーテスト領域と前記管理領域が連続して割り当てられた層において、前記パワーテスト領域に割り当てられたテスト領域バッファを含む。
2009543271.tif 000002
【特許請求の範囲】
【請求項１】
複数の記録層を備える記録媒体であって、
各記録層は、パワーテスト領域および管理領域を含み、前記記録媒体の全ての前記パワーテスト領域は、物理的に同じ位置に設けられず、前記記録媒体の全ての管理領域は、物理的に同じ位置に設けられず、
前記パワーテスト領域と前記管理領域とが連続して割り当てられた層は、前記パワーテスト領域に割り当てられたテスト領域バッファを含むことを特徴とする記録媒体。
【請求項２】
請求項１に記載の記録媒体において、前記記録媒体の複数の前記記録層の各々は、情報領域をさらに含み、前記記録媒体の全ての前記情報領域は、同じ位置に設けられていないことを特徴とする記録媒体。
【請求項３】
請求項２に記載の記録媒体において、前記情報領域は、前記記録媒体の内側領域および前記記録媒体の外側領域のうち少なくとも一つに割り当てられることを特徴とする記録媒体。
【請求項４】
請求項３に記載の記録媒体において、前記内側領域に割り当てられた情報領域において、第ｎ記録層および第（ｎ＋１）記録層の情報領域は、物理的に同じ位置に設けられ、第（ｎ＋２）記録層および第（ｎ＋３）記録層の情報領域は、物理的に同じ位置に設けられ、前記第ｎ記録層および前記第（ｎ＋１）記録層の前記情報領域は、前記第（ｎ＋２）記録層および第（ｎ＋３）記録層の前記情報領域の物理的に同じ位置に設けられていないことを特徴とする記録媒体。
【請求項５】
請求項４に記載の記録媒体において、前記内側領域に割り当てられた前記記録媒体の前記情報領域は、第１情報領域（情報１）および第２情報領域（情報２）を含むことを特徴とする記録媒体。
【請求項６】
請求項３に記載の記録媒体において、前記外側領域に割り当てられた前記情報領域において、第ｎ記録層および第（ｎ＋１）記録層の情報領域は、物理的に同じ位置に設けられ、第（ｎ＋２）記録層および第（ｎ＋３）記録層の情報領域は、物理的に同じ位置に設けられ、前記第ｎ記録層および前記第（ｎ＋１）記録層の前記情報領域は、前記第（ｎ＋２）記録層および前記第（ｎ＋３）記録層の前記情報領域の物理的に同じ位置に設けられていないことを特徴とする記録媒体。
【請求項７】
請求項６に記載の記録媒体において、前記外側領域に割り当てられた前記記録媒体の前記情報領域は、第３情報領域（情報３）および第４情報領域（情報４）を含むことを特徴とする記録媒体。
【請求項８】
請求項１に記載の記録媒体において、前記テスト領域バッファは、前記記録媒体の前記管理領域のトラッキングが前記テスト領域バッファから始まることを可能にするサイズで割り当てられることを特徴とする記録媒体。
【請求項９】
請求項８に記載の記録媒体において、前記テスト領域バッファの前記サイズは、記録する速度に比例して割り当てられることを特徴とする記録媒体。
【請求項１０】
請求項８に記載の記録媒体において、前記テスト領域バッファは、４物理クラスタより大きいサイズで割り当てられることを特徴とする記録媒体。
【請求項１１】
請求項８に記載の記録媒体において、前記パワーテスト領域は、最適パワー制御領域に対応することを特徴とする記録媒体。
【請求項１２】
請求項１１に記載の記録媒体において、前記最適パワー制御領域は、テスト信号を記録するためのテスト領域を含むことを特徴とする記録媒体。
【請求項１３】
請求項１２に記載の記録媒体において、前記最適パワー制御領域は、定数の物理クラスタを含み、前記テスト領域は、前記定数の物理クラスタから前記テスト領域バッファを構成する物理クラスタを引いて生じる物理クラスタを含むことを特徴とする記録媒体。
【請求項１４】
請求項１２に記載の記録媒体において、前記テスト領域は、定数の物理クラスタを含み、前記最適ポーザー制御領域は、前記テスト領域を構成する物理クラスタを前記テスト領域バッファを構成する物理クラスタに加えて生じる物理クラスタを含むことを特徴とする記録媒体。
【請求項１５】
請求項１に記載の記録媒体において、前記管理領域は、ＴＤＭＡ（臨時ディスク管理領域）またはＤＭＡ（ディスク管理領域）のいずれかを備えることを特徴とする記録媒体。
【請求項１６】
請求項１５に記載の記録媒体において、１回記録可能なディスクを備えることを特徴とする記録媒体。
【請求項１７】
請求項１に記載の記録媒体において、前記管理領域および前記パワー制御領域は、内側領域に割り当てられることを特徴とする記録媒体。
【請求項１８】
複数の記録層を含む記録媒体にデータを記録する方法であって、前記方法は、
物理的に同じ位置に位置付けられないで前記記録層の各々に割り当てられる管理領域から管理情報を読み取るステップと、
物理的に同じ位置に位置付けられないで前記記録層の各々に割り当てられるパワーテスト領域の位置情報を読み取るステップと、
前記読み取られた位置情報から確認されたテキスト領域で最適記録パワーを算出し、前記算出された最適記録パワーを適用することにより、前記記録媒体にデータを記録するステップと、
を備えることを特徴とする方法。
【請求項１９】
請求項１８に記載の方法において、前記管理領域は、ＴＤＭＡ（臨時ディスク管理領域）またはＤＭＡ（ディスク管理領域）のいずれかを備えることを特徴とする方法。
【請求項２０】
請求項１８に記載の方法において、前記最適パワー制御領域は、テスト信号を記録するためのテスト領域を含むことを特徴とする方法。
【請求項２１】
請求項２０に記載の方法において、前記パワーテスト領域は、テスト領域バッファをさらに含むことを特徴とする方法。
【請求項２２】
請求項２１に記載の方法において、前記テスト領域バッファは、連続して位置付けられる前記パワーテスト領域および前記管理領域を有する層に割り当てられることを特徴とする方法。
【請求項２３】
請求項１８に記載の方法において、前記管理情報を読み取るステップにおいて、前記管理情報は、前記管理領域に隣接した前記テキスト領域バッファが存在する前記記録層のテストバッファ領域から読み取られ始めることを特徴とする方法。
【請求項２４】
複数の記録層を含む記録媒体にデータを記録する装置であって、
前記記録媒体から反射された信号を用いて前記データを読み取るピックアップ部であって、前記記録媒体にビームを当てることにより前記データを記録する前記ピックアップ部と、
物理的に同じ位置に位置付けられないで前記記録層の各々に割り当てられる管理領域から管理情報を読み取り、前記管理情報から物理的に同じ位置に位置付けられないパワーテスト領域の位置情報を読み取り、前記読み取られた位置情報から確認されたテキスト領域で最適記録パワーを算出し、次いで前記算出された最適記録パワーを適用する方法で、前記記録媒体に記録すべき前記データを制御する制御部と
を備えることを特徴とする装置。
【請求項２５】
請求項２４に記載の装置において、前記管理領域は、ＴＤＭＡ（臨時ディスク管理領域）またはＤＭＡ（ディスク管理領域）のいずれかを備えることを特徴とする装置。
【請求項２６】
請求項２４に記載の装置において、前記最適パワー制御領域は、テスト信号を記録するためのテスト領域を含むことを特徴とする装置。
【請求項２７】
請求項２６に記載の装置において、前記パワーテスト領域は、テスト領域バッファをさらに含むことを特徴とする装置。
【請求項２８】
請求項２７に記載の装置において、前記テスト領域バッファは、連続して位置付けられる前記パワーテスト領域および前記管理領域を有する層に割り当てられることを特徴とする装置。
【請求項２９】
請求項２４に記載の装置において、前記管理領域に隣接したテストバッファ領域が存在する場合、前記制御部は、前記テストバッファ領域を制御して優先的に読み取られるようにすることを特徴とする装置。
【請求項３０】
複数の記録層を含む記録媒体からデータを再生する方法であって、前記方法は、
物理的に同じ位置に位置付けられないで前記記録層の各々に割り当てられる管理領域から管理情報を読み取るステップであって、前記管理情報を、前記管理領域に隣接したテキスト領域バッファが存在する記録層でテスト領域バッファから読み取り始めるステップと、
前記管理情報に基づいてデータ領域に記録されたデータを再生するステップと
を備えることを特徴とする方法。
【請求項３１】
請求項３０に記載の方法において、前記管理領域は、ＴＤＭＡ（臨時ディスク管理領域）またはＤＭＡ（ディスク管理領域）のいずれかを備えることを特徴とする方法。
【請求項３２】
請求項３１に記載の方法において、前記テスト領域バッファのサイズは、再生する速度に比例して割り当てられることを特徴とする方法。
【請求項３３】
複数の記録層を含む記録媒体からデータを再生する装置であって、
前記記録媒体から反射された信号を用いてデータを読み取るピックアップ部と、
物理的に同じ位置に位置付けられないで前記記録層の各々に割り当てられる管理領域から管理情報を読み取り、前記管理情報を、前記テキスト領域バッファが前記管理領域に隣接した記録層でテスト領域バッファから読み取る方法で前記記録媒体から再生すべきデータを制御する制御部と
を備え、前記制御部は、前記管理情報からデータ領域の位置情報を読み取ることを特徴とする装置。
【請求項３４】
請求項３３に記載の装置において、前記管理領域は、ＴＤＭＡ（臨時ディスク管理領域）またはＤＭＡ（ディスク管理領域）のいずれかを備えることを特徴とする装置。
【請求項３５】
請求項３３に記載の方法において、前記テスト領域バッファのサイズは、再生する速度に比例するように割り当てられることを特徴とする方法。
【請求項３６】
複数の記録層を含む記録媒体にデータを記録する装置であって、前記装置は、
前記記録媒体にデータを記録するために光記録デバイスを駆動するためのドライバーと、
物理的に同じ位置に位置付けられないで前記記録層の各々に割り当てられる管理領域から管理情報を読み取り、前記管理情報から物理的に同じ位置に位置付けられないパワーテスト領域の位置情報を読み取り、前記読み取られた位置情報から確認されたテキスト領域で最適記録パワーを算出し、次いで前記算出された最適記録パワーを適用する方法で、前記ドライバーを制御して、前記記録媒体にデータを記録する制御部と
を備えることを特徴とする装置。
【請求項３７】
請求項３６に記載の装置において、前記最適パワー制御領域は、テスト信号を記録するためのテスト領域を含むことを特徴とする装置。
【請求項３８】
請求項２７に記載の装置において、前記パワーテスト領域は、テスト領域バッファをさらに含むことを特徴とする装置。
【請求項３９】
請求項４０に記載の方法において、前記テスト領域バッファは、連続して位置付けられる前記パワーテスト領域および前記管理領域を有する層に割り当てられることを特徴とする方法。
【請求項４０】
請求項３６に記載の装置において、前記管理領域に隣接したテストバッファ領域が存在する場合、前記制御部は、前記テストバッファ領域を制御して優先的に読み取られるようにすることを特徴とする装置。
【請求項４１】
複数の記録層を含む記録媒体からデータを再生する装置であって、前記装置は、
前記記録媒体からデータを再生するために光記録デバイスを駆動するためのドライバーと、
物理的に同じ位置に位置付けられないで前記記録層の各々に割り当てられる管理領域から管理情報を読み取り、前記管理情報を、前記テキスト領域バッファが前記管理領域に隣接した前記記録層においてテスト領域バッファから読み取る方法で前記ドライバーを制御して、前記記録媒体からデータを再生する制御器と
を備え、前記制御部は、前記管理情報からデータ領域の位置情報を読み取る前記制御部と
を備えることを特徴とする装置。
【請求項４２】
請求項４１に記載の装置において、前記管理領域は、ＴＤＭＡ（臨時ディスク管理領域）またはＤＭＡ（ディスク管理領域）のいずれかを備えることを特徴とする装置。
【請求項４３】
請求項４１に記載の方法において、前記テスト領域バッファのサイズは、再生する速度に比例して割り当てられることを特徴とする方法。
【発明の詳細な説明】
【技術分野】
【０００１】
本発明は、記録媒体、その記録媒体にデータを記録しその記録媒体からデータを再生するための装置および方法に関するもので、特に、物理的構造、その物理的構造を用いて、記録媒体に記録し記録媒体から再生するための装置およびその方法に関する。本発明は、広範囲のアプリケーションに適しているが、特に記録媒体の製造に適している。
【背景技術】
【０００２】
記録媒体として大きいサイズのデータを記録できるディスクが、広く使われてきている。特に、巨大な高精細のビデオデータと高音質のオーディオデータを記録および格納することが可能な新しい高密度記録媒体、例えば、ブルーレイディスク（以後ＢＤとする）が最近開発されてきている。
【０００３】
次世代記録媒体技術によるＢＤは、従来のＤＶＤの性能を圧倒する記録性能を有する次世代光記録ソリューションである。それで、ＢＤおよび他のデジタル機器に対する世界標準が定められつつある。
【０００４】
しかしながら、ＢＤの好ましい物理的構造が提示されていないため、全面的なＢＤベースの記録／再生装置の研究、開発上、多くの制約がある。
【発明の概要】
【発明が解決しようとする課題】
【０００５】
したがって、本発明は、記録媒体、その記録媒体でデータを記録し、その記録媒体からデータを再生するための装置および方法に対して向けられており、これらは関連技術の制限および不利な点に起因する１または複数の問題を実質的に取り除く。
【０００６】
本発明の目的は、物理的構造、その物理的構造を使用して、記録媒体にデータを記録し、記録媒体からデータを再生するための装置およびその方法を提供することである。これにより、ＢＤ等のような記録媒体に対する好適な物理的構造を、提供する事ができる。
【０００７】
本発明のさらなる利点、目的、および特徴が、以下の説明で部分的に説明され、以下の検討により当業者にとって部分的に明らかになるか、または本発明の実践から学ぶことができる。本発明の目的および他の利点を、添付図面ならびに以下で書かれる説明および本願の請求項で特に示される構造によって、現実化して達成することができる。
【課題を解決するための手段】
【０００８】
これらの目的と他の利点を達成するため、および本発明の目的に従って、本明細書で具体化され、概して説明されるように、本発明による記録媒体は複数の記録層を含み、各記録層は物理的に同じ位置に設けられていないパワーテスト領域および物理的に同じ位置に設けられていない管理領域を含み、連続して割り当てられたパワーテスト領域と管理領域を有する層では、パワーテスト領域に割り当てられたテスト領域バッファを含む。
【０００９】
好ましくは、記録媒体の複数の記録層の各々はさらに、物理的に同一の位置に記録されない情報領域を含む。
【００１０】
より好ましくは、情報領域が、記録媒体の内側領域および記録媒体の外側領域のうち少なくとも一つに割り当てられる。
【００１１】
この場合、内側領域に割り当てられた情報領域で、第ｎ記録層および第（ｎ＋１）記録層の情報領域は物理的に同じ位置に設けられ、第（ｎ＋２）記録層および第（ｎ＋３）記録層の情報領域は物理的に同じ位置に設けられる。そして、第ｎ記録層および第（ｎ＋１）記録層の情報領域は、第（ｎ＋２）記録層および第（ｎ＋３）記録層の情報領域の物理的に同じ位置に設けられていない。
【００１２】
そして、内側領域に割り当てられた記録媒体の情報領域は、第１情報領域（情報１）と第２情報領域（情報２）を含む。
【００１３】
より好ましくは、外側領域に割り当てられた情報領域で、第ｎ記録層および第（ｎ＋１）記録層の情報領域は物理的に同じ位置に設けられ、第（ｎ＋２）記録層および第（ｎ＋３）記録層の情報領域は物理的に同じ位置に設けられる。そして、第ｎ記録層および第（ｎ＋１）記録層の情報領域は、第（ｎ＋２）記録層および第（ｎ＋３）記録層の情報領域の物理的に同じ位置に設けられていない。
【００１４】
この場合、外側領域に割り当てられた記録媒体の情報領域は、第３情報領域（情報３）と第４情報領域（情報４）を含む。
【００１５】
好ましくは、テスト領域バッファは、記録媒体の管理領域のトラッキングをしてテスト領域バッファから始まることを可能にするサイズで割り当てられる。
【００１６】
より好ましくは、テスト領域バッファのサイズは、記録速度に比例するように割り当てられる。
【００１７】
より好ましくは、テスト領域バッファは、４物理クラスタをこえるサイズで割り当てら。
【００１８】
好ましくは、パワーテスト領域は、最適パワー制御領域と一致する。
【００１９】
より好ましくは、最適パワー制御領域は、テスト信号を記録するためのテスト領域を含む。
【００２０】
より好ましくは、最適パワー制御領域は、定数の物理クラスタを含み、テスト領域は、定数の物理クラスタからテスト領域バッファを構成する物理クラスタを引いた結果生じる物理クラスタを含む。
【００２１】
より好ましくは、テスト領域は、定数の物理クラスタを含み、最適パワー制御領域は、テスト領域を構成する物理クラスタとテスト領域バッファを構成する物理クラスタとの和から生じる物理クラスタを含む。
【００２２】
好ましくは、管理領域は、ＴＤＭＡまたはディスク管理領域のいずれかを含む。
【００２３】
より好ましくは、記録媒体は１回記録が可能なディスクを含む。
【００２４】
好ましくは、管理領域とパワー制御領域は、内側領域に割り当てられる。
【００２５】
本発明の他の態様で、複数の記録層を含む記録媒体にデータを記録する方法は、物理的に同じ位置に位置付けられないで記録層のそれぞれに割り当てられる管理領域から管理情報を読み取るステップと、その管理情報から物理的に同じ位置に位置付けられないで記録層のそれぞれに割り当てられるパワーテスト領域の位置情報を読み取るステップと、読み取られた位置情報から確認されたテスト領域で最適記録パワーを算出し、算出された最適記録パワーを適用することにより、記録媒体にデータを記録するステップと、を含む。
【００２６】
本発明の別の態様で、複数の記録層を含む記録媒体にデータを記録する装置は、記録媒体から反射された信号を用いてデータを読み取り、記録媒体にビームを当ててデータを記録するピックアップ部と、物理的に同じ位置に位置付けられないで記録層のそれぞれに割り当てられる管理領域から管理情報を読み取り、その管理情報から物理的に同じ位置に位置付けられないパワーテスト領域の位置情報を読み取り、読み取られた位置情報から確認されたテスト領域に最適記録パワーを算出し、算出された最適記録パワーを適用する方法で、記録媒体に記録すべきデータを制御する制御部と、を含む。
【００２７】
本発明の別の態様で、複数の記録層を含む記録媒体からデータを再生する方法は、物理的に同じ位置に位置付けられないで記録層のそれぞれに割り当てられる管理領域から管理情報を読み取るステップであって、管理情報は、テスト領域バッファが管理領域に隣接する存在する記録層でテスト領域バッファから読み取られ始めるステップと、その管理情報に基づいてデータ領域上に記録されたデータを再生するステップと、を含む。
【００２８】
本発明の別の態様で、複数の記録層を含む記録媒体からデータを再生する装置は、記録媒体から反射された信号を用いてデータを読み取るピックアップ部と、物理的に同じ位置に位置付けられないで記録層のそれぞれに割り当てられる管理領域から管理情報を読み取る方法で記録媒体から再生されるデータを制御する制御部であって、管理情報は、テスト領域バッファが管理領域に隣接する記録層においてテスト領域バッファから読み取られ、その管理情報からデータ領域の位置情報を読み取る制御部と、を含む。
【００２９】
本発明の別の態様で、記録媒体にデータを記録する装置は、記録媒体上にデータを記録するために光記録デバイスを駆動するためのドライバーと、物理的に同じ位置に位置付けられないで記録層のそれぞれに割り当てられる管理領域から管理情報を読み取り、その管理情報から物理的に同じ位置に位置付けられないパワーテスト領域の位置情報を読み取り、読み取られた位置情報から確認されたテスト領域内に最適記録パワーを算出し、算出された最適記録パワーを適用する方法で、記録媒体にデータを記録するようにドライバーを制御する制御部と、を含む。
【００３０】
本発明の別の態様で、記録媒体のデータを再生する装置は、記録媒体からデータを再生するために光再生デバイスを駆動するためのドライバーと、物理的に同じ位置に位置付けられないで記録層のそれぞれに割り当てられる管理領域から管理情報を読み取る方法で記録媒体からデータを再生するようにドライバーを制御する制御部であって、その管理情報は、テスト領域バッファが管理領域に隣接する記録層においてテスト領域バッファから読み取られ、その管理情報からデータ領域の位置情報を読み取る制御部と、を含む。
【００３１】
本発明に関する前記の一般的な説明および以下の詳細な説明の両方は、例示的および説明的であって、特許請求の範囲に記載されるように本発明のさらなる拡張を提供することを意図することが、理解されるべきである。
【００３２】
添付図面は、本発明のさらなる理解を提供するため含まれ、本願に組み入れられて、その一部を構成する。添付図面は、本発明の実施形態を示し、その説明と共に本発明の原理を説明するために役立つ。
【図面の簡単な説明】
【００３３】
【図１】本発明の一実施形態による記録媒体の記録装置のブロック図である。
【図２】本発明の一実施形態による記録媒体の図である。
【図３】本発明の一実施形態による記録媒体の図である。
【図４】本発明の一実施形態による記録媒体の内側領域の図である。
【図５】本発明の一実施形態による記録媒体におけるパワーテスト領域と管理領域の図である。
【図６Ａ】本発明の一実施形態による記録媒体におけるパワーテスト領域と管理領域の図である。
【図６Ｂ】本発明の一実施形態による記録媒体におけるパワーテスト領域と管理領域の図である。
【図７】本発明の一実施形態による記録媒体におけるパワーテスト領域と管理領域の図である。
【図８】本発明の一実施形態による記録媒体の内側領域の図である。
【図９】本発明の一実施形態による記録媒体の内側領域の図である。
【図１０】本発明の一実施形態による記録媒体の外側領域の図である。
【図１１】本発明の一実施形態による記録媒体の外側領域の図である。
【図１２Ａ】本発明の一実施形態による記録媒体の外側領域の図である。
【図１２Ｂ】本発明の一実施形態による記録媒体の外側領域の図である。
【図１３Ａ】本発明の一実施形態による記録媒体の外側領域の図である。
【図１３Ｂ】本発明の一実施形態による記録媒体の外側領域の図である。
【発明を実施するための形態】
【００３４】
添付図面で実施例が示される本発明の好ましい実施形態に対する言及が、これから詳細になされるだろう。可能な限り、同一の部分または同様の部分を参照するために図面の至るところで同一の参照番号が、使用されるだろう。
【００３５】
第一に、本発明において、「記録媒体」とは、その上に記録されるデータを有する媒体、またはデータを記録可能な媒体の任意の種類を意味する。例えば、「記録媒体」とは、例えばディスク、磁気テープおよび同様のものなど、記録方式を問わず任意の種類の媒体を含む。説明の便宜のため、本発明は、記録媒体として例えばディスク、特に、ブルーレイディスク（BD）を取り上げる。当然、本発明の技術的思想は他の記録媒体にも同様に適用可能であるということは、当業者にとって明らかである。
【００３６】
本発明において「管理領域」とは、記録媒体の管理情報を記録する領域を意味する。管理領域は、TDMA（Temporary Disc Management Area、臨時ディスク管理領域）とDMA（Disc Management Area、ディスク管理領域）を含むことができる。ＴＤＭＡは、ディスク内でディスククロージングより前に管理情報を記録する領域を意味し、ＤＭＡは、ディスククロージング時に最終管理情報を記録する領域を意味する。
【００３７】
ＴＤＭＡとＤＭＡの間には以下の関係が存在する。１回記録可能なブルーレイディスク（ＢＤ−Ｒ）の特性に起因して、ディスク使用中に発生する欠陥管理情報と共にディスク内の記録状態を示す一般管理情報が、ＴＤＭＡに記録される。例えば、ディスクがクロージングされた場合、ディスクは記録できない状態に入る。よって、ＴＤＭＡ内の最終管理情報が、ＤＭＡに移動されて記録される。したがって、管理情報は、ディスクが使用される間はＴＤＭＡ内に記録される。ディスクがクロージングされる場合、ＴＤＭＡ内の最終情報が、ＤＭＡに移転されて記録される。ディスクのクロージング以後、ＤＭＡ内の管理情報を用いて対応するディスクは、再生される。
【００３８】
本発明で、パワーテスト領域とは、記録媒体内でパワーテストのために割り当てられた領域を意味する。パワーテスト領域は、ＯＰＣ（Optimum Power Control）過程実行のために記録媒体内で割り当てられた領域とすることができる。この場合、ＯＰＣは、記録媒体にデータを記録する際に用いられる最適記録パワーを算出する過程を意味する。
【００３９】
特に、光ディスクが特定の光記録／再生装置にローディングされると、光記録／再生装置は、光ディスク内のＯＰＣ領域に特定記録パワーで信号を記録して、次いでこの記録された信号を再生するステップを繰り返す方法で、一定の再生品質を確保する最適記録パワーを算出する。その結果、上記方法で決定された最適記録パワーが、対応する光ディスクにデータを記録する際に用いられる。
【００４０】
本発明で、“ＤＣＺ（Drive Calibration Zone）領域”とは、記録媒体内において光記録／再生装置（またはドライブ）により用いられる領域で、光記録／再生装置が、ＯＰＣ過程を含む必要な様々なテストを実行することを可能にする領域を意味する。この場合、ＯＰＣ領域とＤＣＺ領域の両方は、ＯＰＣ過程のために用いることができる。
【００４１】
本発明で「情報領域」とは、ディスクにおいてデータ交換と関連した情報を含む領域を意味する。特に、複数の記録層を備えた記録媒体において、内側領域と外側領域は少なくとも一つの情報領域を備えることができる。例えば、第０記録層（L0）の内側領域と外側領域のそれぞれに２個の情報領域が存在する場合、内側領域に存在する情報領域を第１情報領域（情報１）と第２情報領域（情報２）とそれぞれ命名し、外側領域に存在する情報領域を第３情報領域（情報３）、第４情報領域（情報４）とそれぞれ命名する。さらに、情報領域は、管理情報を含むＤＭＡ、制御情報を含む制御データ領域、およびＰＡＣ（physical access control）領域を含むことができる。
【００４２】
本発明で「マルチレイヤー」とは、複数の記録層を意味する。特に、マルチレイヤーが一対の記録層を持つ場合、「デュアルレイヤー」と呼ばれる。本発明の明細書では、マルチレイヤーは、例として一対の記録層または４個の記録層を持つが、これに本発明の範囲は限定されない。
【００４３】
図１は、本発明の一実施形態による記録媒体の記録装置のブロック図である。
【００４４】
図１を参照すると、本発明の一実施形態による記録媒体の記録装置１０は、記録媒体にデータを記録したり、記録媒体から記録されたデータを再生する記録／再生部２０と、この記録／再生部２０を制御する制御器１２とを含む。
【００４５】
特に、記録／再生部２０は、ピックアップ１１、信号処理部１３、サーボ１４、メモリ１５およびマイコン１６を含むことができる。
【００４６】
ピックアップ１１は、直接的に、記録媒体にデータを記録し、または記録媒体に記録されたデータを読み取る。
【００４７】
信号処理部１３は、ピックアップ１１により読み取られたデータを受信して、その受信されたデータから特定の信号値を再構築する。また、信号処理部１３は、記録される信号を記録媒体に記録される信号に変調して、ピックアップ１１に変調された信号を伝達する。
【００４８】
サーボ１４は、ピックアップ１１を制御して、正確に記録媒体から正確に信号を読み取り、または記録媒体に信号を記録する。
【００４９】
メモリ１５は、一時的に、記録媒体から読み取られた管理情報およびデータ、および／または制御器１２またはマイコン１６からの制御情報を格納する。
【００５０】
また、マイコン１６は、記録／再生部２０に含まれた上述の要素の制御を担当する。
【００５１】
再生の態様において、記録／再生部２０は、制御器１２の制御のもと、記録媒体３０からデータを読み取って、その読み取られたデータをデコーダに提供する。特に、記録／再生部は、データを読み取るための再生部（または読み手）としての役割を果たす。
【００５２】
記録の態様において、記録／再生部は、ＡＶエンコーダ１８によりエンコードされた信号を受けてデータを記録媒体に記録する記録部としての役割を果たす。
【００５３】
加えて、当業者にとって、記録／再生部２０のみを含む記録／再生装置は、コンピュータでロード可能な「ドライブ」になることができることは明らかである。
【００５４】
記録／再生部２０は、記録媒体のテスト領域でテストを行うことにより最適記録パワーを算出する役割を果たし、算出された最適記録パワーを記録する役割も果たす。ならびに、記録／再生部２０は、ピックアップ１１を記録媒体のトラックに沿って移動させることにより必要なデータを読み取る役割を果たす。
【００５５】
制御器１２は、光記録／再生装置１０内の全体の要素の制御を担当する。使用者とのインターフェースを通じて使用者命令または位置を参照しつつ、制御器１２は、記録媒体にデータを記録するための記録命令／記録媒体からデータを再生するための再生命令を、記録／再生部２０に転送する。さらに、制御器１２は、記録媒体ならびにユーザーコマンドまたは同様のものにより外部サーバー（ソース）とネットワーキングを行う。
【００５６】
任意選択で、制御器１２とマイコン１６は、互いに分けられて作動する。代替として、制御器１２とマイコン１６の両方が統合されて、一つの制御装置として動作する。以下の説明において、制御器１２および／またはマイコン１６を制御部と呼ぶ。任意選択で、制御部が、光記録／再生装置１０内に設けられるプログラム（ソフトウェア）および／またはハードウェアから成るものとすることができる。
【００５７】
制御器１２の制御のもと、デコーダ１７は、記録媒体から読み取られた信号をデコードして、デコードされた信号を特定情報に再構築し、次いでその特定情報をユーザーに提供する。記録媒体上に信号を記録する機能を実行するため、エンコーダ１８は、制御器１２の制御のもと、入力信号を特定のフォーマット、例えば、ＭＰＥＧ２トランスポートストリームに変換して、その信号を信号処理装置１３に提供する。
【００５８】
図２は、本発明の一実施形態による記録媒体の図であり、記録可能なデュアルレイヤーブルーレイディスクの構造が、図式的に示される。
【００５９】
図２を参照すると、記録媒体の各記録層は、内側領域、データ領域、および外側領域から成る。内側領域および外側領域のそれぞれは、パワーテスト領域と管理領域を含む。
【００６０】
データ領域は、ユーザーのデータを記録するユーザーデータ領域、および欠陥管理のためのスペア領域を含む。そして、スペア領域は、ISA（inner spare area）およびOSA（outer spare area）を含む。ただし、スペア領域は、任意選択で割り当てられる。
【００６１】
図３は、本発明の一実施形態による記録媒体の図であり、記録可能なマルチレイヤーブルーレイディスクの構造が、図式的に示される。
【００６２】
図３を参照すると、４個の記録層が、記録媒体内に提供される。代替として、本発明は、ｎ個の記録層を持つ記録媒体にも適用可能である。
【００６３】
本発明によるディスク内のそれぞれの記録層を、光ビームの入射方向からの距離の順に、第０記録層（Layer 0：以下、Ｌ０という）、第１記録層（Layer 1： 以下Ｌ１という）、第２記録層（Layer 2:：以下、Ｌ２という）、第３記録層（Layer 3： 以下、Ｌ３という）、…、第ｎ記録層（Layer n:：以下、Ｌｎという）と連続して呼ぶ。本実施形態において、ディスクは４個の記録層Ｌ０，Ｌ１，Ｌ２，Ｌ３を設けられる。図２の説明で述べたように、それぞれの記録層を、光ビームにより近い距離の順番で並べることができる。
【００６４】
また、本発明が上記記録層の配置順序に限定されないことは、当業者にとって明らかである。加えて、図２で示される実施形態の説明は、内側領域、データ領域、外側領域の区分および命名に対して適用できる。
【００６５】
図４は、本発明の一実施形態による記録媒体の内側領域の図である。特に、図４に示される内側領域は、デュアルレイヤー記録媒体の内側領域に対応する。デュアルレイヤー記録媒体に強い安定性を提供するために、ＴＤＭＡ領域およびＯＰＣ領域は、光ビームの伝播する方向に関して物理的に同じ位置に設けられていない。
【００６６】
図４を参照すると、Ｌ０の内側領域は、記録媒体の内周から、第１保護領域（保護領域１）、ＰＩＣ領域、第２保護領域（保護領域２）、第２情報領域（情報２）、ＯＰＣ０領域、ＴＤＭＡ０領域および第１情報領域（情報１）を含む。また、一定のサイズを、それぞれの領域の各々に対して、割り当てることができる。
【００６７】
例えば、第２保護領域は２２３クラスタ、第２情報領域は１５６クラスタ、ＯＰＣ０領域は２０４８クラスタ、ＴＤＭＡ０領域は２５６クラスタ、ＯＰＣ０領域は２０４８クラスタ、ＴＤＭＡ０は２０４８クラスタ、第１情報領域（情報１）は２５６クラスタを含む。
【００６８】
Ｌ１の内側領域は、ディスクの内周から、第１保護領域（保護領域１）、バッファ、ＯＰＣ１領域、バッファ、第２情報領域（情報２）、ＴＤＭＡ１、第０予備領域（Reserved ０：予備０）および第１情報領域（情報１）を含む。また、予め定められたサイズを、Ｌ１の特定領域に対して割り当てることができる。
【００６９】
例えば、Ｌ１の内側領域に与えられる特定領域のサイズを、以下の方法で割り当てることができる。バッファは１５４７クラスタ、ＯＰＣ１領域は１５４７クラスタ、バッファは１７７０クラスタ、第２情報領域（情報２）は２５６クラスタ、ＴＤＭＡ１は２０４８クラスタ、予備領域０（Reserved ０：予備０）は２０４８クラスタ、そして第１情報領域（情報１）は２５６クラスタを含む。 
図４に示されるそれぞれの領域は、下記のように詳細に説明される。 
まず、図４に示されるＰＩＣ領域では、記録媒体管理情報が、エンボスされたＨＦＭ（High Frequency Modulated）信号として記録される。また、情報領域（情報１、情報２）にはＤＭＡ（Disc Management Area）等のような様々な種類の記録媒体管理情報が記録される。
【００７０】
ＴＤＭＡは、臨時のディスク管理領域であり、ブルーレイディスクの中でも１回記録可能な記録媒体であるＢＤ−Ｒに含まれる。ＴＤＭＡを、記録媒体のＯＰＣ領域の付近に配置することができる。参考のため、書き換え可能なブルーレイディスク（ＢＤ−ＲＥ）では、ＯＰＣ領域の付近の領域が、以後の使用のための予備領域として残る。
【００７１】
ＴＤＭＡは、記録媒体が使われる間に記録媒体の欠陥管理および記録管理情報をアップデートするのに用いられる領域である。単一層ブルーレイ記録媒体の場合には（図に示されていないが）、固定されたサイズを有するＴＤＭＡ０は内周領域に含まれる。デュアルレイヤーブルーレイディスクの場合では、記録層０の内周領域に固定されたサイズを有するＴＤＭＡ０を含むことができ、記録層１の外周領域に固定されたサイズを有するＴＤＭＡ１を含むことができる。欠陥管理および記録管理情報のより多くのアップデートのために、付加的なＴＤＭＡを記録媒体で定義することができる。
【００７２】
ＴＤＭＡの各々は、TDDS（Temporary Disc Definition Structure）、TDFL（Temporary Defect List）およびデータ領域の記録された状態を示す情報を含む。記録モードに従って、連続記録モードの場合には、SRRI（Sequential Recording Range Information）が、記録状態を示す情報としてＴＤＭＡに記録される。ランダム記録モードの場合には、SBM（Space Bit Maps）が、記録状態を示す情報としてＴＤＭＡに記録される。
【００７３】
TDDSは、スペア領域のサイズやＴＤＭＡのサイズのような、記録媒体のフォーマットおよび状態に関する情報などを含む。一時的な欠陥リストは、使用されている記録媒体の欠陥状態および代替クラスタに関する情報などを含む。
【００７４】
クロージングされていない記録媒体の場合、光記録／再生装置１０は、ＴＤＭＡに記録された情報を用いて、記録媒体からデータを再生したり記録媒体にデータを記録する。したがって、ＴＤＭＡに記録された情報の読み取りが、データの記録／再生のために重要である。
【００７５】
図４に示される記録媒体の内周領域は、複数の保護領域（保護領域１、保護領域２）を含む。特に、第２保護領域（保護領域１）は、エンボスされたＨＦＭ領域から記録可能領域への変更区間として用いられる一種のバッファゾーンである。
【００７６】
本発明の１回記録可能なブルーレイディスク（ＢＤ−Ｒ）では、データは、ディスクに含まれるランドおよびグルーブを有する記録層のグルーブに記録される。そして、グルーブは、ＨＦＭ変調されたグルーブおよびウォブルドグルーブを含む。特に、ウォブルドグルーブは、記録層のグルーブでサイン波を用いた変調により揺動した（wobbled）形状を構成する。光記録／再生装置１０は、ウォッブルされた形状を通じて対応するグルーブのアドレス情報（ＡＤＩＰ（Address In Pre-groove）という）およびディスク一般情報を算出する。
【００７７】
図５は、本発明の一実施形態による記録媒体内のパワーテスト領域と管理領域の図である。ＯＰＣ領域とＴＤＭＡの配置は、図４に示される記録媒体のＬ０のＯＰＣ領域とＴＤＭＡに基づく。
【００７８】
この場合、ＯＰＣ領域は、実際にテストが行なわれるテスト領域と、そのテスト領域でのテスト実行により隣接したＴＤＭＡが影響を受けるのを防止するためのＯＰＣバッファを含む。なお、ＯＰＣバッファを、「テスト領域バッファ」と呼ぶこともできる。図５に示されるＯＰＣ領域とＴＤＭＡの配置は、デュアルレイヤーに限定されない。そして、この配置が、ＴＤＭＡとＯＰＣ領域に隣接する記録層に適用可能であることは、当業者にとって明らかである。
【００７９】
図４に示されるＬ１では、ＯＰＣバッファが用いられなくて良い。これは、ＯＰＣ１領域の付近にデータが記録されないバッファ領域が存在するためである。バッファ領域は、ＯＰＣ１領域で行なわれたテストから生成される劣化により第２情報領域（IN2）が損傷しないようにすることができる。図５の説明で述べられるように、ＯＰＣ１領域は、第２情報領域（IN2）から離れたクラスタからテストに用いられるため、第２情報領域（情報２）のデータが、ＯＰＣ実行により、ＴＤＭＡ０での実行に比べてより少なく損傷を受けるということができる。
【００８０】
図５に、ＯＰＣが進む方向および記録媒体のデータを読み取るための一般的なトラッキング過程が示される。トラッキングの場合において、PSN（physical sector number）が増分する方向に進行する。図５にはトラッキング方向が示されている。これに対し、ＯＰＣ過程はトラッキングと反対方向、すなわち、物理的セクターナンバーが増分する方向に進行する。すなわち、ＯＰＣ過程実行の完了後に、記録媒体上に記録するデータを、ＰＳＮが増分する方向に実行することができる。
【００８１】
ＯＰＣ領域がＰＳＮの逆順に使われるため、ＯＰＣ領域ではＴＤＭＡに最も近づいているクラスタが、ＯＰＣに対するパワーテストのために使用される。記録媒体に記録されたデータを読み取るために、本発明による光記録／再生装置１０は、ピックアップ１１をデータが記録されたトラックに沿って移動させるトラッキングを行なう。この場合では、トラッキングが、読み取られるデータの記録開始位置から正確に始まる代わりに、その前の位置から始まることができる。ディスクが回転中であるため、データの正確な記録開始位置からトラッキングを始めることは難しい可能性がある。したがって、正確にデータを読み取るために、データの記録位置が到達する前にサーボ動作が行なわれる。任意選択で、記録媒体の速度に比例してＯＰＣバッファのサイズを決定することができる。
【００８２】
図６Ａは、ＯＰＣ領域のサイズに対応するＯＰＣ領域とＴＤＭＡ領域の配置の図である。予め決められたサイズを、ＯＰＣ領域全体に対して割り当てることができる。例えば、図６Ａに示されるように、２０４８クラスタを、ＯＰＣ領域に割り当てることができる。この場合、ＯＰＣバッファのサイズはｘクラスタに設定されることができ、実際のパワーテストが行なわれるテスト領域のサイズは２０４８−ｘクラスタになる。この場合、ｘは１以上の自然数であることができる。記録媒体の種類および記録媒体の層の数に応じて、ｘのサイズを所定のサイズに制限しても良い。例えば、ｘのサイズを４に制限することができる。より安定したパワーテストのために、ｘのサイズを充分に割り当てることができる。例えば、ｘのサイズを５以上に設定することができる。
【００８３】
図６Ｂは、ＯＰＣ領域のサイズに対応するＯＰＣ領域とＴＤＭＡの配置の図である。ＯＰＣ領域全体のサイズがＯＰＣバッファのサイズによって変わるように設定することができる。ＯＰＣバッファのサイズが（４＋ｘ）に設定された場合、ＯＰＣ領域全体のサイズを（２０４８＋ｘ）に設定することができる。この場合、ＯＰＣ領域のサイズにおいて損失はなく、安定したテストのためのＯＰＣバッファのサイズを確保することができる。ただし、隣接した領域のサイズが変化した状態になる。
【００８４】
図７は、本発明の別の実施形態による記録媒体の構造および安定したトラッキング方法の図である。ＯＰＣ領域が、ＴＤＭＡの物理的セクターナンバーよりも大きい物理的セクターナンバーを持つセクターに対して割り当てられる。
【００８５】
図７を参照すると、ＯＰＣ領域とＴＤＭＡの位置を、図５Ａ、図６Ａおよび図６Ｂに示されるこれらの位置と逆に交換する場合、ＯＰＣ領域を構成するセクターは、ＴＤＭＡを構成するセクターよりも高い物理的セクターナンバーを持つ。ＯＰＣ領域はさらに、例えばＴＤＭＡとテスト領域との間に、４−物理的クラスタよりも大きいサイズのバッファを含む。図５に示される先のＯＰＣバッファと同様に、図７に示されるＯＰＣバッファは、他の領域が、ＯＰＣ実行および同様のものに起因する劣化により影響を受けるのを防止する役割を果たす。
【００８６】
もちろん、本発明のＯＰＣバッファは、単層の記録媒体にも適用可能であることは明らかである。
【００８７】
図８は、本発明の一実施形態による記録媒体の内側領域の図である。図８に示される実施形態では、記録媒体に強い安定性を有する構造を与える目的で、ＴＤＭＡとＯＰＣ領域が、光ビームの伝播する方向に関して物理的に同じ位置に設けられていない。図８に示されるマルチレイヤー記録媒体に関して、より様々な実施形態が可能である。
【００８８】
Ｌ２の内側領域は、ディスクの内周から、第１保護領域（保護領域１）、ＯＰＣ２領域、ＴＤＭＡ２、バッファ、第２情報領域（情報２）、第１予備領域（Reserved1：予備１）および第１情報領域（情報１）を含む。また、内側領域に含まれるＬ２の特定領域のサイズを割り当てることができる。例えば、１５４７クラスタがＯＰＣ２領域に割り当てられ、１５４７クラスタがＴＤＭＡ２に割り当てられ、１７７０クラスタがバッファに割り当てられ、２５６クラスタが第２情報領域（情報２）に割り当てられ、４０９６クラスタが第１予備領域（Reserved1：予備１）に割り当てられ、２５６クラスタが第１情報領域（情報1）に割り当てられる。
【００８９】
Ｌ３の内側領域は、ディスクの内周から、第１保護領域（保護領域１）、ＴＤＭＡ３、バッファ、ＯＰＣ３領域、第２予備領域（Reserved2：予備２）、第２情報領域（情報２）、第１予備領域（Reserved1：予備１）、および第１情報領域（情報１）を含む。また、内側領域に含まれるＬ３の特定領域にサイズを割り当てることができる。例えば、１５４７クラスタがＴＤＭＡ３に割り当てられ、１５４７クラスタがバッファに割り当てられ、１５４７クラスタがＯＰＣ３領域に割り当てられ、２５６クラスタが第２情報領域（情報２）に割り当てられ、４０９６クラスタが第１予備領域（Reserved1：予備１）に割り当てられ、２５６クラスタが第１情報領域（情報１）に割り当てられる。
【００９０】
図９に示される実施形態では、図８に示される実施携帯と同様に、複数の記録層を有する記録媒体がデータの安定性を確保する目的で、ＴＤＭＡとＯＰＣ領域は、光ビームの伝播する方向に関して物理的に同じ位置に設けられていない。ただし、情報領域の配置を、変えることができる。特に、Ｌ０の第１および第２情報領域（情報１および情報２）は、Ｌ１の第１および第２情報領域（情報１および情報２）の物理的に同じ位置に位置付けられる。また、Ｌ２の第１および第２情報領域（情報１および情報２）は、Ｌ３の第１および第２情報領域（情報１および情報２）と物理的に同じ位置に位置付けられる。ただし、Ｌ０およびＬ１の第１および第２情報領域（情報１および情報２）は、Ｌ２およびＬ３の第１および第２情報領域（情報１および情報２）と物理的に同じ位置に位置付けられないことにおいてのみ異なる。さらに、各領域のサイズは、図６Ａまたは６Ｂに示されるものと異なることができる。
【００９１】
図９に示されるＬ０およびＬ１は、図７に示されるＬ０およびＬ１と同一であり、図４の説明を参照することができる。Ｌ２の内側領域は、ディスクの内周から、第１保護領域（保護領域１）、バッファ(３)、第２情報領域（情報２）、ＯＰＣ２領域、ＴＤＭＡ２、バッファ、第１情報領域（情報１）および第１予備領域（Reserved1：予備1）を含む。Ｌ３の内側領域は、ディスクの内周から、第１保護領域（保護領域１）、バッファ、第２情報領域（情報２）、ＴＤＭＡ３、バッファ、ＯＰＣ３領域、第２予備領域（Reserved2：予備２）、第１情報領域（情報１）および第１予備領域（Reserved1：予備１）を含む。
【００９２】
各記録層を構成する領域のサイズを割り当てる方法が、図９を参照して次のように説明される。Ｌ０とＬ１におけるそれぞれの領域のサイズは、図８の説明を参照することができる。Ｌ２またはＬ３を構成する領域のサイズに対して、２０４８クラスタを、ＯＰＣ０領域、ＴＤＭＡ０、ＴＤＭＡ１および第０予備領域（Reserved0：予備０）に設けることができる。Ｌ２の内側領域に設けられているバッファ(３)のサイズを、Ｘクラスタに設定することができる。Ｌ３の内側領域に設けられている第２予備領域（Reserved2：予備２）のサイズを、２３３クラスタに設定することができる。ＯＰＣ１領域、ＯＰＣ２領域、ＯＰＣ３領域、ＴＤＭＡ２、ＴＤＭＡ３のサイズを、Ｙクラスタに設定することができる。「Ｙ」を、数式１で計算することができる。この場合、「Ｘ」を、「Ｙ」を整数にする値に設定することができる。  
（数式１）
Y=(4864-223-X)/Y
【００９３】
したがって、Ｌ０とＬ１の第２情報領域（情報２）およびＬ２とＬ３の第１情報領域（情報１）を物理的に同じ位置に配置することにより、データロスの可能性を減らすことが可能である。好ましくは、マルチレイヤー（例えば、４層ディスク）ディスクの場合に、本発明による記録媒体が、データ安定性のために採用される。
【００９４】
Ｌ２の場合において、ＯＰＣ領域（ＯＰＣ２）とＴＤＭＡ（ＴＤＭＡ２）は互いに隣接している。この場合、図５〜図７に示されるように、ＯＰＣバッファが割り当てられて、記録媒体の安定性を高めることができる。
【００９５】
図９に示されるように、それぞれの記録層の情報領域は、同じ位置に置かれない。図９に示される実施形態において、Ｌ０とＬ１は同じ位置に割り当てられた情報領域を有し、Ｌ２とＬ３は同じ位置に割り当てられた情報領域を有する。ただし、Ｌ０とＬ１の情報領域の位置が、Ｌ２とＬ３の情報領域の位置と異なることが見受けられる。これは、記録媒体の記録／再生実行の際のデータ安定性を高めるためである。
【００９６】
すなわち、複数の記録層を含む記録媒体において、Ｎ層とＮ＋１層の情報領域は、同じ配置を有し、Ｎ＋２層とＮ＋３層の情報領域の配置は、同じ配置を有する。ただし、前者の２層の配置は、後者の２層の配置と互いに異ならしめることができる。さらに、それぞれの層の情報領域が異なる位置に位置付けられる様々な実施形態があることは明らかである。
【００９７】
図１０〜図１３Ｂを参照して、複数の記録層を有する記録媒体の外側領域の構造を、次のとおり説明する。特に、４個の記録層を持つ記録媒体を、次の説明において主として説明する。また、本発明はさらに、少なくとも２個の記録層を持つ記録媒体に適用可能である。
【００９８】
図１０は、本発明の一実施形態による記録媒体の外側領域の図である。
【００９９】
図１０を参照すると、複数の記録層を持つ記録媒体が高安定性の構造を確保する目的で、それぞれの記録層の情報領域は、同じ位置に位置付けられない。特に、Ｌ０とＬ１の外側領域の第３および第４情報領域（情報３、情報４）は、光ビームの伝播する方向に関して物理的に同じ位置に設けられる。また、Ｌ２とＬ３の外側領域の第３および第４情報領域（情報３、情報４）は、光ビームの伝播する方向に関して物理的に同じ位置に設けられる。ただし、Ｌ０とＬ１の第３および第４情報領域（情報３、情報４）は、Ｌ２とＬ３の外側領域の第３および第４情報領域（情報３、情報４）と物理的に同じ位置に位置付けられない。
【０１００】
より具体的には、Ｌ０の内側領域は、記録媒体の内周から、第３情報領域（情報３）、アンギュラーバッファ、第４情報領域（情報４）、ＤＣＺ０領域および保護領域を含む。Ｌ１の外側領域は、記録媒体の内周から、第３情報領域（情報３）、アンギュラーバッファ、第４情報領域（情報４）、ＤＣＺ０領域および保護領域を含む。Ｌ２の外側領域は、記録媒体の内周から、ＤＣＺ２領域、第３情報領域（情報３）、アンギュラーバッファ、第４情報領域（情報４）、保護領域を含む。Ｌ３の外側領域は、記録媒体の内周から、ＤＣＺ３領域、第３情報領域（情報３）、アンギュラーバッファ、第４情報領域（情報４）、保護領域を含む。前述の説明に述べられたように、外側領域のＤＣＺ領域で最適パワーを求めるためのパワーテストを行なうことができる。
【０１０１】
外側領域に含まれる領域の各々は、特定のサイズで割り当てられることができる。例えば、保護領域を除いて、層の各々の外側領域は、７８０クラスタのサイズを持つことができる。外側領域に含まれる特定領域のサイズを詳しく調べると、第３および第４情報領域（情報３、情報４）の各々が９６クラスタを含み、アンギュラーバッファが７６クラスタを含み、ＤＣＺ０領域、ＤＣＺ１領域、ＤＣＺ２領域、ＤＣＺ３領域の各々が５１３クラスタを含む。この場合に、Ｌ０とＬ１の第３および第４情報領域（情報３、情報４）は、Ｌ２とＬ３の第３および第４情報領域（情報３、情報４）と物理的に同じ位置に位置付けられない。
【０１０２】
図１０と比較すると、図１１は、内周の方向においてＬ２とＬ３の外側領域に予備領域を提供する点で特徴付けられている。それゆえ、この予備領域のサイズにより、ＤＣＺ２領域とＤＣＺ３領域のサイズは減少させられる。例えば、予備領域のサイズは２６８クラスタに設定され、ＤＣＺ２領域またはＤＣＺ３領域のサイズは２４４クラスタに設定される。図１１に示される実施例形態では、ＤＣＺ２／ＤＣＺ３領域でＯＰＣが実行される場合に、Ｌ０／Ｌ１の情報領域（情報３／情報４）に記録されたデータの損傷を防ぐことができる。
【０１０３】
図１２Ａ〜図１３Ｂで、「Ｘ−領域」とは、第３情報領域（情報３）、アンギュラーバッファおよび第４情報領域（情報４）すべてをカバーする領域を意味する。
【０１０４】
図１２Ａおよび図１２Ｂは、本発明の一実施形態による記録媒体の外側領域の図である。
【０１０５】
図１２Ａを参照すると、複数の記録層を持つ記録媒体に強い安定性を有する構造を提供するため、複数の記録層間で隣接する２個の記録層間に、Ｘ−領域が、部分的に重なるように配置される。本発明による記録媒体は、Ｘ領域が隣接記録層間で部分的に重ねられるように外側領域を構成するが、第３および第４情報領域（情報３、情報４）で重要データを含む所定の領域は、記録層毎に重ねられない。
【０１０６】
図１２Ｂを参照すると、第３および第４情報領域（情報３、情報４）の各々は、バッファ、ＤＭＡおよび制御データ領域（制御データ）を含む。Ｎ層とＮ＋１層間の重ねられる部分は、Ｎ層のアンギュラーバッファの一部、Ｎ層の第４情報領域（情報４）、Ｎ＋１層のアンギュラーバッファの一部、Ｎ＋１層の第３情報領域（情報３）と一致する。この場合に、Ｎ層で重要なデータを含むＤＭＡおよび制御データは、光ビームの伝播する方向に関してＮ＋１層のアンギュラーバッファの一部と同じ位置に設けられる。また、Ｎ＋１層で重要なデータを含むＤＭＡおよび制御データは、光ビームの伝播する方向に関してＮ層のアンギュラーバッファの一部および第４情報領域（情報４）のバッファと同じ位置に設けられる。記録媒体の特定の位置から問題が生成されるが、複数の記録層を持つ記録媒体におけるデータロスの量は重要ではない。よって、安定した特性を持つ記録媒体を提供することができる。
【０１０７】
図１３Ａおよび図１３Ｂは、本発明の一実施形態による記録媒体の外側領域の図である。
【０１０８】
図１３Ａを参照すると、複数の記録層を持つ記録媒体に強い安定性を有する構造を与えるため、Ｘ領域は、光ビームの伝播する方向に関して、複数の記録層のうち隣接記録層間で物理的に同じ位置に設けられていない。
【０１０９】
図１３Ｂを参照して、外側領域のＸ領域およびＸ領域に含まれる領域の配置が、次のように説明される。例えば、外側領域におけるＸ領域とＤＣＺ領域全体のクラスタサイズが７８０クラスタであると仮定する。この場合、第３情報領域（情報３）は１６クラスタのバッファ、３２クラスタのＤＭＡ、および３２クラスタの制御データ領域（制御データ）を含む。アンギュラーバッファは３５クラスタのサイズを有する。また、第４情報領域（情報４）は３２クラスタのＤＭＡ、３２クラスタの制御データ領域（制御データ）、および１６クラスタのバッファを含む。Ｘ領域のサイズは１９５クラスタとなるので、４個の記録層Ｌ０、Ｌ１、Ｌ２、Ｌ３のＸ領域は、物理的に同じ位置に設けられていない。図６Ｂで、領域の各々のサイズは可変であることを除いて、まさに例示的である。
【０１１０】
したがって、本発明は、安定したパワーテストおよび記録を可能にし、記録媒体のデータを保護することが可能になる。
本発明の趣旨および範囲から離れることなく、本発明に様々な修正および変更をなすことが可能であることは、当業者にとって明らかである。このように、添付された特許請求の範囲およびこの均等物の範囲内で生じるという条件で、本発明が、本発明の修正および変更に及ぶことが意図される。
【図１】
2009543271.tif 000003
【図２】
2009543271.tif 000004
【図３】
2009543271.tif 000005
【図４】
2009543271.tif 000006
【図５】
2009543271.tif 000007
【図６Ａ】
2009543271.tif 000008
【図６Ｂ】
2009543271.tif 000009
【図７】
2009543271.tif 000010
【図８】
2009543271.tif 000011
【図９】
2009543271.tif 000012
【図１０】
2009543271.tif 000013
【図１１】
2009543271.tif 000014
【図１２Ａ】
2009543271.tif 000015
【図１２Ｂ】
2009543271.tif 000016
【図１３Ａ】
2009543271.tif 000017
【図１３Ｂ】
2009543271.tif 000018
【国際調査報告】
2009543271.tif 000019
2009543271.tif 000020